(57)【要約】【課題】遠心機のドア機構において、ドアの開閉に力が要らず、ドアを任意の角度でとどめ置くことができ、ドアを鉛直に開いたときガタ振動やガタ音を発生せず、更にガススプリングがガス抜け故障を起こしてもドアが落下しないように操作性、安全性を向上させる。【解決手段】ドアを回動自在とするため回転の支点として設けられた蝶番に回動動作伴い回転抵抗を付与すると共に遠心機筐体とこのドアの回転支点近傍に跨りガススプリングを設け、このガススプリングはドアが鉛直方向に開く際伸張動作を行い、ドアがほぼ垂直になる位置においてガススプリングがほぼストロークエンドとなるように構成する。【選択図】  図１
2005034724.tif 000002
【特許請求の範囲】
【請求項１】
試料を分離するロータを収納するチャンバと、該チャンバを覆うドアと、前記チャンバと前記ドアを組み付ける筐体と、該筐体に対して前記ドアを回動自在とするため設けられた蝶番と、前記筐体と前記ドアに介在して設けられたガススプリングから成り、前記ドアが鉛直方向に開く際前記ガススプリングは伸張しほぼストロークエンドとなりかつ前記蝶番は回動動作伴い回転抵抗を付与されたものとしたことを特徴とする遠心機のドア機構。
【発明の詳細な説明】
【０００１】
【産業上の利用分野】
本発明は、遠心分離機の回動ドア機構に係り、特にドアの開閉動作を改良したものである。
【０００２】
【従来の技術】
従来のこの種のドア機構では、ドアを回動自在に保持するための蝶番とドアを開ける方向に伸張力を付与するようにガススプリングを組み合わせ、ドアの重力下方方向の力の一部をガススプリングで負担し、ドアを鉛直・水平方向に開閉する際、操作者がより少ない力でドア開閉操作ができるようにしていた。しかし、この構成ではガススプリングがガス抜けを起こし故障すると、ガススプリングは伸張力を失い、ほぼ鉛直に開けたドアが閉まる方向の水平位置に自然落下し、操作者が手を挟まれるなどの危険があった。
【０００３】
この場合、ガススプリングを２本用い片方が故障してもドアが落下しないようにすることは可能であるが、ガススプリングの伸張力が２倍になリ、ドアを閉める際に大きな力が必要になる欠点があった。また、ドアの鉛直方向の終点を定めるためにストッパ等のドアの回動を制限する部品を設けるのは、このストッパに比較的大きな力が加わるためストッパの変形が起き易く耐久性が保てず従来から好まれない。
【０００４】
そのため、ガススプリングの伸張のストロークエンドをちょうどドアを鉛直方向に持ち上げ開いた位置の終点の位置関係になる様にすると、ドアのストロークエンドでガススプリングの伸張力が途切れるため、ドアが鉛直に立ったところで機構部の隙間等によりガタ振動やガタ音を生じ、ドア開動作の品質が悪くなる欠点があった。
【０００５】
一方、ドアを回動自在に保持するために蝶番に回転抵抗を付与したもののみを用いる構成では、この種の蝶番はドアを開ける際にも回動時に回転抗力が発生するように作用するため、ドア開閉時の操作者の力の負担が大きくなる欠点があった。
【０００６】
また、ドアを回動自在に保持するための蝶番にコイルバネを設けて、バネの力を用いてドアの開閉をサポートするものもある。（例えば特許文献１）
【特許文献１】
特開平６−２４６１９２号公報（図１）
【０００７】
【発明が解決しようとする課題】
本発明は、上記した従来技術の欠点に鑑みなされたもので、遠心機のこの種のドア機構に於いて、ドアの開閉に力が要らず、ドアを鉛直に開いたときガタ振動やガタ音を発生せず、更にガススプリングがガス抜け故障を起こしてもドアが自然落下しないように操作性、安全性を向上させたものである。
【０００８】
【課題を解決するための手段】
ドアを回動自在とするため回転の支点として設けられた蝶番に回動動作に伴う回転抵抗を付与すると共に、遠心機筐体とこのドアの回転支点近傍に跨りガススプリングを設け、このガススプリングはドアが鉛直方向に開く際伸張動作を行い、ドアがほぼ垂直になる位置においてガススプリングがほぼストロークエンドとなるように構成する。
【０００９】
【発明の実施の形態】
本発明の具体的実施例に就いて、以下図面を用い詳細に説明する。
まず、構成について説明すると、図１は本発明になる遠心機のドア機構の一実施例を示す斜視図である。図１に於いて、１は本発明を適用するに好適な遠心機本体、２は筐体、３はドア、４及び５はドア３を回動自在に支える回動中心となるトルク蝶番、６はガススプリング、７はガススプリングのシリンダ側の端部をドア３に接続するためのベースプレートであり、ベースプレート７はボルト８及び９によりドア３に固着されている。ガススプリング６はベースシャフト１０によりベースプレート７に回動自在に組みつけられている。なお、ガススプリング６のロッド側の筐体２への取り付けは上記ドア３への取りつけと同様に適当なベースシャフトを用い回動自在に取り付けられている。
【００１０】
ドア３にはドア３を閉めチャンバ１１を覆う際ドア３の回動をロックするためのフック１２が２箇所設けられ、更にテーブル１３にドア３を吸着保持するためのマグネットプレート１４、水平状態で閉まっているドア３を鉛直状態に持ち上げる際操作者が指を掛けるグリップ１５が設けられている。ドア３を閉めるとドアの内側面に設けられたボトムカバ２４がチャンバ１１とテーブル１３の間に介して嵌め込まれているテーブルリング１６が密着当接する。３０はロータ、３１はチューブ入り試料である。
【００１１】
図２は図１のドア３を閉めた状態を示す斜視図であり、図１と同一の機能部分には同一の番号が付してあり、１７はドア３の外側面に設けられた遠心機本体１の操作部である。
図３は図１のトルク蝶番４及び５の詳細を示した部分拡大斜視図であり、図１と同一機能部分には同一の番号が付してあり、トルク蝶番４は複数のネジ１８によって夫々ドア３、筐体２に固定されており、その回動の中心となる蝶番シャフト１９をトルク蝶番４のひとつの羽根から延びたシャフトケース２０で覆い、フリクションホルダ２１は蝶番シャフト１９をフリクション部材２２で強く包み込み、フリクションホルダ２１及びフリクション部材２２はリベット２３にてトルク蝶番４の他方の羽根にカシメられている。トルク蝶番４は、例えば商品名トルクヒンジ、型式Ｂ−１１０９−１でタキゲン製造（株）から市販されているものを使用してもよい。
【００１２】
トルク蝶番４及び５の抗力特性は、ドア３が水平な閉状態から鉛直の開状態に動く間、及びドア３が鉛直の開状態から水平な閉状態に動く間共、トルク蝶番４の回動点を支点に一定の抗力トルクモーメントを発揮する。ガススプリング６の伸張特性をトルク蝶番４の回動点を支点にして表すと、ドア３が水平な閉状態から鉛直の開状態に動く間はガススプリング６の内部摩擦のため、ドア３が鉛直の開状態から水平な閉状態に動く間よりも小さなトルクモーメントを発揮する。トルク蝶番４の回動点を支点にすると、ドア３自身のトルクモーメントは、ドア３が水平な閉状態から鉛直の開状態に動くに従って小さくなる。
【００１３】
ドア３の開閉に必要な力は、上記のトルク蝶番４、ガススプリング６及びドア３自身のトルクモーメントの合算値となり、ドア３が水平な閉状態から鉛直の開状態に、かつ鉛直の開状態から水平な閉状態に動く間にドア３の開閉に必要な力が最小になるように設定する。
図４は図１のガススプリング６のドア３への取り付けの詳細を示した部分拡大斜視図であり、図１と同一機能部分には同一の番号が付してある。
図５は図１のトルク蝶番４の断面を示した図であり、図１と同一機能部分には同一の番号が付してある。
【００１４】
上記の構成において、遠心分離作業が終了しチャンバ１１からロータもしくは試料を取り出すために、遠心機本体１の操作者が図２に示すドア３を閉めた状態から図１に示すドア３を開けた状態にするため、グリップ１５に指を掛けてドア３を鉛直上方に持ち上げる際は、ガススプリング６の伸張作用によりドア３の重力方向の重さ、トルク蝶番４の回動時の抗力が軽減され、僅かの力でドア３を開けることが出来る。ドア３が回動の終点のほぼドア３が鉛直になった状態でガススプリング６はストロークエンドに達する際は、トルク蝶番４の回動時の抗力が作用し、動作を円滑にするためガススプリング６のシリンダハウジング側の端部をドア３に接続するための穴とベースシャフト１０との間に設けられている隙間等により従来発生していたガタ振動、ガタ音を生じることなくドア３はその位置に静かに静止する。
【００１５】
勿論この構成ではガススプリング６がガス抜けを起こし故障しガススプリング６がその伸張力を失ってもトルク蝶番４の作用により、ほぼ鉛直に開けたドア３が閉まる水平位置に自然落下することは無く、操作者が手を挟まれるなどの危険は起きない。従って、この場合高価なガススプリング６を２本用い片方が故障してもドアが落下しないようにする必要がないから遠心機本体１をより安価に提供可能である。
【００１６】
次に、遠心分離作業を始める為にチャンバ１１にロータ３０もしくはチューブ入り試料３１をセットし、遠心機本体１に操作者が図１に示すドア３を開けた状態から図２に示すドア３を閉めた状態にするため、ドア３の外側面を手で押して閉める際は、ガススプリング６の伸張作用はドア３が閉まるに従って強くなるが、ドア３は水平方向に向うのでドア３の質量の重力作用も次第に大きくなり、ドア３を閉める力はさほど要らない。
【００１７】
また、通常、トルク蝶番４及びガススプリング６は市販品を利用するため、特に遠心機本体１用に専用に設計されたものは使えないため、トルク蝶番４のトルク抗力の大きさ或はガススプリング６の伸張力の大きさ等の特性で、これらを単独で用いる場合にしばしば遭遇する丁度良く適合するものが無いためにドア３の質量を増す必要などが無い。
【００１８】
更に、遠心分離作業が終了し翌日再度使用するまでの間、しばしば遠心機本体１のドア３をチャンバ１１の乾燥のため、かつこの間に空中のゴミ、ばい菌がチャンバ１１へ侵入しない様にドア３を斜めに半開きしておくことがあるが、本発明の構成ではドア３を斜めの任意角度位置でとどめ置くことが可能であり、この場合にも良い操作性を提供できる。
【００１９】
【発明の効果】
本発明によれば、ドアを回動自在とするため回転の支点として設けられた蝶番に回動動作伴い回転抵抗を付与すると共に遠心機筐体とこのドアの回転支点近傍に跨りガススプリングを設け、このガススプリングはドアが鉛直方向に開く際伸張動作を行い、ドアがほぼ垂直になる位置においてガススプリングはほぼストロークエンドとなるように構成したので、この種のドア機構において、ドアの開閉に力が要らず、かつドアを任意の位置にとどめ置くことができ、更にドアを鉛直に開いたときにガタ振動やガタ音を生むことなく、またガススプリングがガス抜け故障を起こしてもドアが落下しないようになるため、操作性、安全性が向上する効果がある。
【図面の簡単な説明】
【図１】本発明になる遠心機のドア機構の一実施例を示す斜視図
【図２】図１のドア３を閉めた状態を示す斜視図
【図３】図１のトルク蝶番４の詳細を示した部分拡大斜視図
【図４】図１のガススプリング６のドア３への取り付けの詳細を示した部分拡大斜視図
【図５】図５は図１のトルク蝶番４の断面を示した図
【符号の説明】
２は筐体、３はドア、４はトルク蝶番、６はガススプリング、１１はチャンバ、３０はロータである。
【図１】
2005034724.tif 000003
【図２】
2005034724.tif 000004
【図３】
2005034724.tif 000005
【図４】
2005034724.tif 000006
【図５】
2005034724.tif 000007